(57)【特許請求の範囲】
【請求項１】
左右の柱材と、該柱材の間に立設する補助柱と、前記柱材の間に多段に積み重ねる横材とを備えてなり、前記柱材は、建物の躯体側を開放して前記横材を係合させる切欠きを全長に形成し、前記横材は、それぞれ互いに嵌合可能な上面の突条、下面の係合溝を全長に形成するとともに、前記補助柱を嵌め込む切欠きを建物の躯体側の側面に形成し、前記柱材、補助柱、横材は、建物の躯体側の側面を躯体に接する同一平面に形成することを特徴とする室内用の木造の壁構造。
【請求項２】
前記補助柱は、建物の躯体に固定することを特徴とする請求項１記載の室内用の木造の壁構造。
【請求項３】
前記横材は、前記補助柱を介して建物の躯体に固定することを特徴とする請求項２記載の室内用の木造の壁構造。
【請求項４】
前記柱材は、土台上に立設し、該土台は、最下段の前記横材の係合溝に嵌合可能な突条を上面に形成することを特徴とする請求項１ないし請求項３のいずれか記載の室内用の木造の壁構造。
【請求項５】
前記柱材は、共通の連結材を支持し、該連結材は、最上段の前記横材の突条に嵌合可能な係合溝を下面に形成することを特徴とする請求項１ないし請求項４のいずれか記載の室内用の木造の壁構造。
【発明の詳細な説明】
【０００１】
【発明の属する技術分野】
この発明は、工期を短縮し、丈夫な壁面を簡単に形成することができる室内用の木造の壁構造に関する。
【０００２】
【従来の技術】
木造建築物等の壁面は、たとえば柱や間柱に内壁材、外壁材、断熱材を組み合わせて形成するのが一般的である。
【０００３】
すなわち、壁面は、柱や間柱などの構造材に対し、室内側からプラスタボードなどの内壁材を付設するとともに、室外側からサイジングボードなどの外壁材を付設し、内壁材、外壁材の間にグラスウールや発泡ウレタンなどの断熱材を介装して構成されている。
【０００４】
【発明が解決しようとする課題】
かかる従来技術によるときは、壁面は、内壁材や外壁材を構造材に組み合わせ、十分な断熱性能を実現するために断熱材を介装しなければならないから、全体構造が複雑になって工期が過大になりがちであり、大きな機械的強度を得ることが難しいという問題があった。
【０００５】
そこで、この発明の目的は、かかる従来技術の問題に鑑み、柱材の間に横材を多段に積み重ねることによって、断熱材を不要にし、工期を大幅に短縮して丈夫な壁面を簡単に作ることができる室内用の木造の壁構造を提供することにある。
【０００６】
【課題を解決するための手段】
かかる目的を達成するためのこの発明の構成は、左右の柱材と、柱材の間に立設する補助柱と、柱材の間に多段に積み重ねる横材とを備えてなり、柱材は、建物の躯体側を開放して横材を係合させる切欠きを全長に形成し、横材は、それぞれ互いに嵌合可能な上面の突条、下面の係合溝を全長に形成するとともに、補助柱を嵌め込む切欠きを建物の躯体側の側面に形成し、柱材、補助柱、横材は、建物の躯体側の側面を躯体に接する同一平面に形成することをその要旨とする。
【０００７】
なお、補助柱は、建物の躯体に固定することができ、横材は、補助柱を介して建物の躯体に固定することができる。
【０００９】
さらに、柱材は、土台上に立設し、土台は、最下段の横材の係合溝に嵌合可能な突条を上面に形成することができる。
【００１０】
また、柱材は、共通の連結材を支持し、連結材は、最上段の横材の突条に嵌合可能な係合溝を下面に形成することができる。
【００１２】
【作用】
かかる発明の構成によるときは、横材は、上面の突条、下面の係合溝を互いに嵌合させて左右の柱材の間に多段に積み重ね、左右の柱材によって外れ止めすることにより、柱材の間に丈夫な壁面を形成することができる。すなわち、各段の横材は、下段の上面の突条を上段の下面の係合溝に嵌合させることにより、隙間を生じることがなく、雨水が浸入するおそれもない。なお、横材は、木材を使用することにより、室内用、屋外用の用途として良好な外観を実現することができ、乾燥処理済みの天然木材または合成木材を使用することにより、吸放湿性を備える室内用の壁面を構築することができる。
【００１３】
柱材は、切欠きを介して横材を係合させることにより、横材の木口をほぞ加工する必要がない。なお、切欠きは、柱材の側面に全長に亘って形成されており、最下段から最上段までの横材を順に係合させることができる。
【００１４】
柱材の間に補助柱を設ければ、補助柱は、躯体に付設することにより、たとえば止めねじや釘などを介して横材の中間部を固定し、横材が過大に湾曲したり、躯体から浮いたりすることを防止することができる。なお、補助柱は、各横材の厚さの約１／２〜１／３程度の厚さに形成し、各横材に設ける切欠きに嵌め込むようにして横材と組み合わせることが好ましい。
【００１６】
柱材を立設する土台は、上面の突条を最下段の横材の係合溝に嵌合させることにより、最下段の横材との間に隙間を生じるおそれがない。なお、突条は、土台の上面の全長に形成する。
【００１７】
連結材は、下面の係合溝に最上段の横材の突条を嵌合させることにより、最上段の横材との間に隙間を生じるおそれがない。なお、連結材は、左右の柱材により支持し、係合溝は、連結材の下面の全長に形成するものとする。
【００１８】
横材は、継手を介して長手方向に継ぎ合わせ、全体長さを柱材の間隔に合わせることにより、短い間伐材などを有効に利用することができる。なお、継手は、横材に使用する部材の端部を切り欠いて形成する本ざね継ぎ、あり継ぎ、段継ぎ、相欠き継ぎの他、相欠き鎌継ぎ、金輪継ぎ、尻挟み継ぎ、追掛け継ぎなどを使用することができる。
【００１９】
【発明の実施の形態】
以下、図面を以って発明の実施の形態を説明する。
【００２０】
木造の壁構造は、左右の柱材２１、２１と、柱材２１、２１の間に多段に積み重ねる横材２２、２２…とを備えてなる（図１、図２）。ただし、図１、図２には、建物の躯体Ｗの室内用の壁面としての用途が例示されている。
【００２１】
柱材２１、２１は、土台１１上に立設されている。土台１１は、図示しないアンカボルトを介してたとえば布基礎１２上に固定されている。土台１１の上面には、突条１１ａが全長に形成され、各柱材２１用のほぞ孔１１ｂが形成されている。
【００２２】
柱材２１、２１は、それぞれ左右の側面の全長に亘り、切欠き２１ａ、２１ａが形成されている。各切欠き２１ａは、躯体Ｗ側を開放し、室内側を閉じるようにして形成されている。また、柱材２１の下端、上端には、それぞれ左右方向のほぞ２１ｂが形成されている。各柱材２１は、下端のほぞ２１ｂをほぞ孔１１ｂに挿入して土台１１上に立設されている。
【００２３】
また、柱材２１、２１は、共通の連結材３１を支持している。連結材３１は、下面の全長に亘って係合溝３１ａが形成され、柱材２１、２１用のほぞ孔３１ｂ、３１ｂが形成されている。連結材３１は、ほぞ孔３１ｂ、３１ｂに柱材２１、２１の上端のほぞ２１ｂ、２１ｂを挿入して柱材２１、２１上に架設されている。
【００２４】
土台１１上には、柱材２１、２１の間に補助柱２３、２３が立設されている。各補助柱２３は、柱材２１、２１の有効長さ相当の長さに形成され、アンカ２３ａ、２３ａ…を介して建物の躯体Ｗに固定されている。ただし、図２には、１本のアンカ２３ａのみが図示されている。
【００２５】
各段の横材２２は、継手２２ｄ、２２ｄ…を介し、部材Ａ、Ａ…を長手方向に継ぎ合わせて形成されている（図３、図４）。ただし、図示の継手２２ｄは、部材Ａ、Ａ…の先端に形成する凸部２２ｄ1 、凹部２２ｄ2 を組み合わせて本ざね継ぎに形成されている。継手２２ｄ、２２ｄ…は、それぞれの凸部２２ｄ1 を凹部２２ｄ2 に嵌め込んで部材Ａ、Ａ…を継ぎ合わせ、横材２２の全体長さを柱材２１、２１の間隔に適合させることができる。
【００２６】
各横材２２の上面、下面には、それぞれ突条２２ａ、係合溝２２ｂが全長に亘って形成されている（図２、図３）。なお、突条２２ａ、係合溝２２ｂは、互いに嵌合可能である。また、土台１１の突条１１ａは、横材２２の係合溝２２ｂに嵌合可能であり、連結材３１の係合溝３１ａには、横材２２の突条２２ａが嵌合可能である。横材２２の躯体Ｗ側の側面には、補助柱２３、２３用の切欠き２２ｃ、２２ｃが上下方向に形成されている。なお、土台１１、柱材２１、横材２２、補助柱２３、連結材３１は、それぞれ天然木材または合成木材により形成するものとする。
【００２７】
横材２２、２２…は、それぞれの両端を左右の柱材２１、２１の切欠き２１ａ、２１ａに係合させるとともに、切欠き２２ｃ、２２ｃに補助柱２３、２３を嵌め込み、下段の横材２２の突条２２ａを上段の横材２２の係合溝２２ｂに嵌合させ、土台１１上に多段に積み重ねることができる（図１、図２）。ただし、最下段の横材２２は、土台１１の突条１１ａを下面の係合溝２２ｂに嵌合させ、最上段の横材２２は、上面の突条２２ａを連結材３１の係合溝３１ａに嵌合させる。なお、横材２２、２２…は、それぞれの各継手２２ｄが上下に重ならないように配列して積み重ねるものとする。
【００２８】
また、横材２２、２２…は、たとえば止めねじ２２ｆ、２２ｆ…を介して補助柱２３、２３にねじ止めし（図２）、中間部を躯体Ｗに固定することができる。ただし、図２には、１本の止めねじ２２ｆのみが図示されている。なお、止めねじ２２ｆは、横材２２を下段の横材２２上に積み重ねた後、横材２２の突条２２ａに斜めにねじ込むことにより、上段の横材２２を積み重ねると、上段の横材２２の係合溝２２ｂに頭部が収納され、室内側から見えることがない。ただし、横材２２、２２…は、たとえば２段以上の複数段ごとに補助柱２３、２３に固定してもよく、各段ごとに補助柱２３、２３に固定してもよい。
【００２９】
なお、連結材３１は、柱材２１、２１の間に横材２２、２２…を積み重ねた後、柱材２１、２１上に架設する。このようにして積み重ねる横材２２、２２…は、それぞれの間、土台１１、柱材２１、２１、連結材３１との間のいずれにも隙間を生じることがなく、柱材２１、２１の間に木製の丈夫な壁面を形成することができる。各柱材２１は、切欠き２１ａを介して横材２２、２２…を外れ止めし、各横材２２は、補助柱２３、２３を介して躯体Ｗに固定されているからである。また、横材２２、２２…は、乾燥処理済みの木材を使用することにより、吸放湿性を備え、良好な調湿機能を有する壁面に仕上げることができる。なお、図１、図２において、土台１１、各柱材２１、各横材２２、各補助柱２３、連結材３１の躯体Ｗ側の側面は、躯体Ｗに接する同一平面を形成しており、横材２２、２２…の室内側の側面は、柱材２１、２１の室内側の側面より後退する平面を形成している。
【００３０】
横材２２、２２…は、躯体Ｗの形状に倣って、屈曲して配置することができる（図５）。すなわち、横材２２、２２…は、入隅部分に配設する受木２４を介して内向きに屈曲する壁面を形成し、隣接する２側面に切欠き２１ａ、２１ａを形成する柱材２１を介して外向きに屈曲する壁面を形成することができる。
【００３１】
以上の説明において、横材２２、２２…は、継手２２ｄを有するもの、有しないものを交互に積み重ねてもよい。なお、各横材２２は、継手２２ｄによって区切られる部材Ａの長さを複数種類用意してモジュール化を図り、柱材２１、２１の間隔に適合する長さを簡単に実現することができる。すなわち、横材２２、２２…は、継手２２ｄが上下に隣接して重ならない限り、継手２２ｄを有するもの、有しないものを任意に混在させて、または継手２２ｄを有するもののみを使用することができる。ただし、継手２２ｄを有する横材２２は、１以上の任意の継手２２ｄ、２２ｄ…を含んでもよい。
【００３２】
なお、柱材２１は、その１側面のみ、または３側面、４側面に切欠き２１ａを形成することにより、壁構造の終端位置に対応させ、またはＴ字状、十字状に交差する壁構造に対応させることができる。また、柱材２１、２１の間に設ける補助柱２３は、１以上の任意本数としてもよく、これを省略してもよい。ただし、後者によるとき、横材２２、２２…は、継手２２ｄを有しないものを使用し、柱材２１、２１は、躯体Ｗに固定し、切欠き２１ａを横材２２の厚さに正しく適合するように形成するものとする。
【００３３】
また、柱材２１、横材２２、２２…、連結材３１は、躯体Ｗの腰下の高さまでに設けてもよく、躯体Ｗの全面に設けてもよい。
【００３４】
【他の実施の形態】
柱材２１と各段の横材２２とは、前者の保持溝２１ｃ、後者の係合突部２２ｋを介して連結してもよい（図６（Ａ））。すなわち、各段の横材２２は、端部の係合突部２２ｋを柱材２１の側面の保持溝２１ｃに差し込んで柱材２１に連結することができる。また、柱材２１は、一方の側面の全長に保持溝２１ｃを形成するとともに、他方の側面の全長に係合突部２１ｄを形成してもよい（同図（Ｂ））。保持溝２１ｃ側の各段の横材２２は、保持溝２１ｃに係合突部２２ｋを差し込んで柱材２１に連結し、係合突部２１ｄ側の各段の横材２２は、保持溝２２ｅに係合突部２１ｄを差し込むようにして柱材２１に連結することができる。なお、横材２２の係合突部２２ｋ、保持溝２２ｅは、継手２２ｄの凸部２２ｄ1 、凹部２２ｄ2 と同一形状とすることにより、部材Ａ、Ａを継ぎ合わせる継手２２ｄと、柱材２１に係合する連結構造とを同一にすることができる。
【００３５】
横材２２は、継手２２ｄの凸部２２ｄ1 、凹部２２ｄ2 をあり継ぎに形成してもよい（図７）。継手２２ｄは、部材Ａ、Ａを長手方向に分離不能に継ぎ合わせることができる（同図（Ｂ））。
【００３６】
横材２２を固定する止めねじ２２ｆは、埋木２２ｇを介して隠蔽してもよい（図８）。止めねじ２２ｆは、横材２２の穴２２ｆ1 を介して補助柱２３にねじ込み、穴２２ｆ1 に打ち込む埋木２２ｇにより、外部から見えなくすることができる。
【００３７】
木造の壁構造は、躯体Ｗの室内側、室外側に設置する他、ベランダやデッキ等のフェンスや、塀などの屋外用としても使用することができる（図９、図１０）。ただし、図９、図１０において、横材２２、２２…は、たとえば図６の連結構造を介して左右の柱材２１、２１に連結されているものとする。
【００３８】
ベランダやデッキのフェンスや手摺りなどとして設置するとき（図９）、柱材２１、２１…、横材２２、２２…上に設ける連結材３１は、上面の角部を適切な面取り３１ｃ、３１ｃに形成することが好ましい。また、下段の横材２２、２２には、通風口２２ｈ、２２ｈ…を設けることができる。ただし、通風口２２ｈ、２２ｈ…は、必要に応じて、任意の段の横材２２に任意の数、形状のものを形成すればよい。さらに、隣接する柱材２１、２１間は、筋交い２５、２５による開口面としてもよい。ただし、筋交い２５、２５による開口面は、横材２２、２２…による壁面の間に適切な間隔ごとに配設し、全体の仕上り体裁を良好にすることができる。なお、土台１１、柱材２１、２１、連結材３１は、筋交い２５、２５による開口面側の上面、側面、下面を、それぞれ平面に仕上げることが好ましい。一方、独立の布基礎１２上に塀として設置するとき（図１０）、連結材３１上には、たとえば木材や竹材、金属板、瓦、スレートなどによる屋根材３５を設けることにより、耐久性を向上させ、全体体裁を改善することができる。
【００３９】
【発明の効果】
以上説明したように、この発明によれば、左右の柱材の間に横材を多段に積み重ねることによって、横材は、下段の上面の突条を上段の下面の係合溝に嵌合させて壁面を形成し、断熱材を使用する必要がないから、工期を大幅に短縮して丈夫な壁面を簡単に形成することができるという優れた効果がある。
【図面の簡単な説明】
【図１】  全体構成分解斜視説明図
【図２】  図１のＸ−Ｘ線矢視相当拡大断面図
【図３】  要部拡大分解斜視図
【図４】  要部拡大横断面図
【図５】  使用状態説明横断面図
【図６】  他の実施の形態を示す要部横断面説明図
【図７】  他の実施の形態を示す要部構成斜視説明図
【図８】  他の実施の形態を示す要部拡大横断面図
【図９】  他の実施の形態を示す使用状態説明図（１）
【図１０】  他の実施の形態を示す使用状態説明図（２）
【符号の説明】
１１…土台
１１ａ…突条
２１…柱材
２１ａ…切欠き
２２…横材
２２ａ…突条
２２ｂ…係合溝
２１ｄ、２２ｋ…係合突部
２１ｃ、２２ｅ…保持溝
２２ｄ…継手
２３…補助柱
３１…連結材
３１ａ…係合溝
【図１】
0003903302.tif 000002
【図２】
0003903302.tif 000003
【図３】
0003903302.tif 000004
【図４】
0003903302.tif 000005
【図５】
0003903302.tif 000006
【図６】
0003903302.tif 000007
【図７】
0003903302.tif 000008
【図８】
0003903302.tif 000009
【図９】
0003903302.tif 000010
【図１０】
0003903302.tif 000011